(57)【特許請求の範囲】
【請求項１】
画像撮影を行うカメラ部と、前記カメラ部からそれぞれ異なる距離に配設され、前記カメラ部による撮影動作に伴って発光する複数の発光手段と、を備えた撮影機器であって、
前記カメラ部から被写体までの撮影距離に対応した動作モードを少なくとも２以上切り替えて設定可能な動作モード設定手段と、
前記動作モード設定手段にて切替設定された動作モードに応じて前記カメラ部の焦点を制御して撮影動作を行うカメラ制御手段と、
前記動作モード設定手段にて切替設定された動作モードに応じて前記発光手段の発光動作を制御する発光制御手段と、を備え、
前記発光制御手段は、前記動作モード設定手段にて切替設定された動作モードに対応する撮影距離が長いほど、前記カメラ部に近い位置に配設された前記発光手段がより高い輝度で発光するように制御する、
ことを特徴とする撮影機器。
【請求項２】
請求項１に記載の撮影機器を搭載した情報処理端末。
【請求項３】
請求項１に記載の撮影機器を搭載した携帯電話。
【請求項４】
画像撮影を行うカメラ部と、前記カメラ部からそれぞれ異なる距離に配設され、前記カメラ部による撮影動作に伴って発光する複数の発光手段と、を備えた撮影機器の制御部を、
前記カメラ部から被写体までの撮影距離に対応した動作モードを少なくとも２以上切り替えて設定可能な動作モード設定手段、
前記動作モード設定手段にて切替設定された動作モードに応じて前記カメラ部の焦点を制御して撮影動作を行うカメラ制御手段、
前記動作モード設定手段にて切替設定された動作モードに応じて前記発光手段の発光動作を制御する発光制御手段、
として機能させ、
前記発光制御手段は、前記動作モード設定手段にて切替設定された動作モードに対応する撮影距離が長いほど、前記カメラ部に近い位置に配設された前記発光手段がより高い輝度で発光するように制御する、
ことを特徴とするプログラム。
【請求項５】
画像撮影を行うカメラ部と、前記カメラ部からそれぞれ異なる距離に配設され、前記カメラ部による撮影動作に伴って発光する複数の発光手段と、を備えた撮影機器における前記発光手段の発光制御方法であって、
前記カメラ部から被写体までの撮影距離に対応した動作モードを少なくとも２以上切り替えて設定可能な動作モード設定工程と、
前記動作モード設定工程にて切替設定された動作モードを検出する動作モード検出工程と、
前記動作モード検出工程で検出された動作モードに対応する撮影距離に応じて前記カメラ部の焦点を制御して撮影動作を行うとともに、該撮影距離に応じて前記発光手段の発光動作を制御する発光制御工程と、
を有し、
前記発光制御工程では、前記動作モード設定工程で切替設定された動作モードに対応する撮影距離が長いほど、前記カメラ部に近い位置に配設された前記発光手段がより高い輝度で発光するように制御する、
ことを特徴とする発光制御方法。
【発明の詳細な説明】
【技術分野】
【０００１】
本発明は、撮影時に発光動作を伴う撮影機器、情報処理端末、携帯電話、プログラム、及び、発光制御方法に関する。
【背景技術】
【０００２】
近年、カメラや携帯電話に搭載されたカメラ撮影機器の小型化、軽量化が進んでいる。特に、カメラ付携帯電話は広く一般ユーザに普及しており、ユーザは気軽に場所を問わず撮影を行うことが可能となった。しかし、カメラの小型化や軽量化に伴い、不正な撮影、つまり盗撮行為も増加していることが問題となっている。【０００３】
以上の問題点から、カメラ付携帯電話は、盗撮防止用に、撮影時に発光したり、音声（シャッター音）などを出力する機能を装備している。これにより、周囲の人々は、光の点灯を視認したり、又は音声を認識したりすることができ、周囲の人々に対して撮影行為を知らせることができる。この結果、盗撮行為を未然に防ぐことが可能となる。【０００４】
また、撮影行為を確実に周囲に通知する方法として、様々な技術が開発されている。例えば、下記特許文献１に開示の技術は、まず、撮影機器のオートフォーカス機能によって合焦した際のレンズの位置から、撮影機器から被写体までの距離を測定する。そして、その測定された距離に基づいて、撮影行為を通知するために発光する光（撮影通知光）の光量を設定する。具体的には、撮影機器から被写体までの距離が遠いほど撮影通知光の光量を多く出力するように設定する。これにより、撮影機器から距離のある被写体や周囲の人々に対しても、より確実に撮影行為を通知することが可能となる。【０００５】
【特許文献１】特開２００５−３０３７１９号公報
【発明の開示】
【発明が解決しようとする課題】
【０００６】
しかしながら、上記特許文献１に開示の技術はオートフォーカス機能を搭載した撮影機器を対象としている。この為、オートフォーカス機能の備わっていない撮影機器には適用することが出来ず、特許文献１に開示の技術は、汎用性に欠ける。一方で、上述した盗撮防止技術を実現するためには、撮影機器にオートフォーカス機能を搭載する必要がある。かかる場合には、製造工程の複雑化及び、部品増加によるコストの増大化が問題となる。【０００７】
また、発光動作用のＬＥＤなどの発光体は、撮影行為を認識し易くするため、カメラの近くに配置され、視認性の良い輝度で点灯する必要がある。しかし、発光体をカメラ近くに配置した場合には、接写時にカメラのセンサに発光体が発する光が回り込んで入射し、撮影画像に乱れが生じ、画像品質が低下する、という問題がある。【０００８】
本発明は上記問題に鑑みてなされたものであり、接写時における画像品質の向上を図ると共に、低コストにて汎用性の高い撮影機器及び撮影制御方法を提供する、ことを目的とする。
【課題を解決するための手段】
【０００９】
本発明に係る撮影機器は、
画像撮影を行うカメラ部と、前記カメラ部からそれぞれ異なる距離に配設され、前記カメラ部による撮影動作に伴って発光する複数の発光手段と、を備えた撮影機器であって、
前記カメラ部から被写体までの撮影距離に対応した動作モードを少なくとも２以上切り替えて設定可能な動作モード設定手段と、
前記動作モード設定手段にて切替設定された動作モードに応じて前記カメラ部の焦点を制御して撮影動作を行うカメラ制御手段と、
前記動作モード設定手段にて切替設定された動作モードに応じて前記発光手段の発光動作を制御する発光制御手段と、を備え、
前記発光制御手段は、前記動作モード設定手段にて切替設定された動作モードに対応する撮影距離が長いほど、前記カメラ部に近い位置に配設された前記発光手段がより高い輝度で発光するように制御する、
ことを特徴とする。
【００１１】
また、上記本発明に係る撮影機器を、情報処理端末、および、携帯電話に搭載してもよい。【００１２】
本発明に係るプログラムは、
画像撮影を行うカメラ部と、前記カメラ部からそれぞれ異なる距離に配設され、前記カメラ部による撮影動作に伴って発光する複数の発光手段と、を備えた撮影機器の制御部を、
前記カメラ部から被写体までの撮影距離に対応した動作モードを少なくとも２以上切り替えて設定可能な動作モード設定手段、
前記動作モード設定手段にて切替設定された動作モードに応じて前記カメラ部の焦点を制御して撮影動作を行うカメラ制御手段、
前記動作モード設定手段にて切替設定された動作モードに応じて前記発光手段の発光動作を制御する発光制御手段、
として機能させ、
前記発光制御手段は、前記動作モード設定手段にて切替設定された動作モードに対応する撮影距離が長いほど、前記カメラ部に近い位置に配設された前記発光手段がより高い輝度で発光するように制御する、
ことを特徴とする。
【００１４】
本発明に係る発光制御方法は、
画像撮影を行うカメラ部と、前記カメラ部からそれぞれ異なる距離に配設され、前記カメラ部による撮影動作に伴って発光する複数の発光手段と、を備えた撮影機器における前記発光手段の発光制御方法であって、
前記カメラ部から被写体までの撮影距離に対応した動作モードを少なくとも２以上切り替えて設定可能な動作モード設定工程と、
前記動作モード設定工程にて切替設定された動作モードを検出する動作モード検出工程と、
前記動作モード検出工程で検出された動作モードに対応する撮影距離に応じて前記カメラ部の焦点を制御して撮影動作を行うとともに、該撮影距離に応じて前記発光手段の発光動作を制御する発光制御工程と、
を有し、
前記発光制御工程では、前記動作モード設定工程で切替設定された動作モードに対応する撮影距離が長いほど、前記カメラ部に近い位置に配設された前記発光手段がより高い輝度で発光するように制御する、
ことを特徴とする。
【発明の効果】
【００１６】
本発明は、撮影動作に伴う発光によって、周囲の人々に対し適切に撮影行為を通知することが可能となる。このとき特に、設定した動作モードに対応した撮影距離が、他の切替設定可能な動作モードに対応した撮影距離よりも短い場合には、カメラのセンサにＬＥＤの光が回り込んで入射することを抑制する。したがって、撮影画像に乱れが生じることを抑制し、画像品質が低下することを回避することが出来る、という従来に無い優れた効果を有する。
【図面の簡単な説明】
【００１７】
【図１】カメラ付携帯電話の外観構成を示す概略図である。
【図２】カメラ付携帯電話の構成を示すブロック図である。
【図３】ＬＥＤの発光動作を示すフローチャートである。
【図４】ＬＥＤの発光制御の詳細を示すフローチャートである。
【図５】実施形態１における動作モードとＬＥＤの発光輝度との関係を示す表である。
【図６】カメラ付携帯電話の外観構成を示す概略図である。
【図７】カメラ付携帯電話の構成を示すブロック図である。
【図８】２つのＬＥＤの発光制御の詳細を示すフローチャートである。
【図９】実施形態２における動作モードと発光手段と発光輝度との関係を示す表である。
【符号の説明】
【００１８】
１、１１  カメラ付携帯電話
２  スイッチ
３  カメラセンサ
４、９、１０  ＬＥＤ
５  制御部
５１  動作モード検出部
５２  カメラ制御部
５３  ＬＥＤ制御部
６  シャッターボタン
【発明を実施するための最良の形態】
【００１９】
以下、本発明の具体的な構成及び動作を、実施形態１および実施形態２にて説明する。なお、実施形態１では、発光手段を１つ備えたカメラ付携帯電話を例示して説明する。また、実施形態２では、発光手段を２つ備えたカメラ付携帯電話を例示して説明する。なお、本発明はカメラ付携帯電話に限らず、例えば、ＰＤＡや、電子手帳や、ポータブルゲーム機など、撮影機器が搭載されたいかなる情報処理端末に本発明を適用可能である。また、撮影機器が搭載された情報処理端末に限らず、撮影機器（カメラ）単体に本発明を適用してもよい。【００２０】
＜実施形態１＞
本発明の第１の実施形態を、図１乃至図５を参照して説明する。図１は、１つの発光手段を備えたカメラ付携帯電話１の外観構成を示す概略図である。図２は、当該カメラ付携帯電話１の構成を示すブロック図である。図３は、発光手段であるＬＥＤ４の発光動作を示すフローチャートである。図４は、上記発光手段であるＬＥＤ４の発光制御の詳細を示すフローチャートである。図５は、切替設定された動作モードと、ＬＥＤ４の発光輝度との関係をまとめた表である。【００２１】
［構成］
図１に示すように、カメラ付携帯電話１は、スイッチ２と、周囲の画像(被写体)を取得（撮影）するカメラセンサ３と、発光手段であるＬＥＤ４と、シャッターボタン６とを備えている。スイッチ２（動作モード設定手段）は、カメラセンサ３から被写体までの距離（撮影距離）に応じた撮影の動作モードの切替を行うためのスイッチである。例えば、操作者は、スイッチ２を操作することによって動作モードを設定（選択）することが出来る。【００２２】
カメラセンサ３は、カメラセンサ３（カメラ部）から被写体までの撮影距離に応じた通常モードと接写モードの２つの動作モードを有する。この２つの動作モードは、上述したスイッチ２にて切替えることが可能である。なお、通常モードは、通常の撮影距離で撮影する場合に最適な動作モードである。接写モードは、通常モードでの撮影よりも撮影距離が短い撮影（接写）をする場合に最適な動作モードである。また、カメラセンサ３は、設定された動作モードに応じた動作で周囲の画像を取得（撮影）する。カメラセンサ３は、例えば、ＣＣＤ（Charge Coupled Device）やＣＭＯＳ（Complementary Metal Oxide Semiconductor）などのイメージセンサを備える。【００２３】
ＬＥＤ４は、撮影動作に伴いほぼ同時に発光し、被写体や周囲の人々に撮影行為を通知する機能を有する。ＬＥＤ４は、カメラセンサ３の近辺に配設されており、実施形態１においては、カメラセンサ３に隣設している。【００２４】
シャッターボタン６は、撮影時に押下されるボタンである。シャッターボタン６が押下されることで、カメラセンサ３による撮影が実行される。【００２５】
カメラ付携帯電話１の全体構成を、図２を参照して説明する。カメラ付携帯電話１は、内部に制御部５を備える。制御部５は、ＣＰＵ（Central Processing Unit）、ＲＯＭ（Read Only Memory）、ＲＡＭ（Random Access Memory）等から構成され、カメラ付携帯電話１の全体を制御する。制御部５における各種の制御処理は、具体的には、ＣＰＵが、ＲＡＭを作業領域として使用して各種データを一時的に記憶させながら、ＲＯＭに記憶されている制御プログラムを実行することにより行われる。また、制御部５は、カメラ付携帯電話１による通信動作を始め、上述したカメラセンサ３による撮影動作も制御する。また、制御部５は、動作モード検出部５１と、カメラ制御部５２と、ＬＥＤ制御部５３とを備える。【００２６】
動作モード検出部５１はスイッチ２と接続されている。動作モード検出部５１は、操作者がスイッチ２を操作することで切替られた動作モードを検出する。つまり動作モード検出部５１は、動作モードが接写モードか通常モードのどちらであるかを検出する動作モード検出手段である。そして、動作モード検出部５１は、検出した動作モードをカメラ制御部５２と、ＬＥＤ制御部５３に通知する。【００２７】
カメラ制御部５２は、カメラセンサ３、および、シャッターボタン６と接続され、カメラセンサ３の動作を制御する。具体的には、カメラ制御部５２は、シャッターボタン６の押下を検出する。そして、カメラ制御部５２は、その際に、動作モード検出部５１が検出した動作モードに応じて、カメラセンサ３の焦点を設定し、カメラセンサ３に撮影動作を行わせる。  【００２８】
また、カメラ制御部５２は、撮影動作の際に、ＬＥＤ４の点灯要求をＬＥＤ制御部５３に送信する。
ＬＥＤ制御部５３は、ＬＥＤ４と接続され、ＬＥＤ４の発光を制御する。具体的には、ＬＥＤ制御部５３は、カメラ制御部５２からの点灯要求を受けて、撮影動作と同時又は前後に動作モード検出部５１によって検出された動作モードに対応した輝度で発光するようにＬＥＤ４を制御する。例えば、ＬＥＤ制御部５３は、動作モード検出部５１によって検出された動作モードが接写モードの時には、通常モードの時よりも低い輝度で発光するようにＬＥＤ４を制御する。【００２９】
［動作］
次に、図３を参照して、カメラ付携帯電話１の撮影動作を説明する。まず、操作者がスイッチ２を操作し、動作モードを切替える。この切替の操作に応答して、動作モード検出部５１は、切替えた動作モードを検出する（ステップＳ１、動作モード検出工程）。続いて、動作モード検出部５１は、検出した動作モードが、通常モードであるか、もしくは接写モードであるかを判別する（ステップＳ２）。
動作モードが接写モードであると判別した場合（ステップＳ２；接写モード）、カメラ制御部５２は、カメラセンサ３の焦点（焦点位置）が近距離撮影（接写）に適した焦点（焦点位置）になるように、カメラセンサ３を制御する（ステップＳ３）。【００３０】
動作モードが、通常モードであると判別した場合（ステップＳ２；通常モード）、カメラ制御部５２は、カメラセンサ３の焦点（焦点位置）が通常距離での撮影に適した焦点（焦点位置）になるようにカメラセンサ３を制御する（ステップＳ４）。【００３１】
その後、操作者（撮影者）によるシャッターボタン６の押下を検出すると、カメラ制御部５２は、カメラセンサ３を制御して、ステップＳ３、又は、ステップＳ４で設定した焦点（焦点位置）で撮影を行う（ステップＳ５）。また、このカメラ制御部５２による撮影動作に伴い、ＬＥＤ制御部５３は、ステップＳ２で判別した動作モードに基づいた輝度でＬＥＤ４を発光させる（ステップＳ５、撮影発光制御工程）。
以上で、カメラ付携帯電話１の撮影動作は終了する。【００３２】
次に図４を参照して、ＬＥＤ制御部５３によるＬＥＤ４の発光制御の詳細を説明する。具体的には、上述した図３におけるステップＳ５の処理時におけるＬＥＤ制御部５３の動作を説明する。【００３３】
ＬＥＤ制御部５３は、撮影動作時に、ＬＥＤ４を発光させる為の点灯要求をカメラ制御部５２から受ける。この点灯要求に応答して、ＬＥＤ制御部５３は、ＬＥＤ４の発光制御の処理を行う。
まず、ＬＥＤ制御部５３は、動作モード検出部５１が検出（判別）した動作モードが通常モードであるか接写モードであるかを判別する（ステップＳ２１）。
通常モードであると判別した場合（ステップＳ２１；通常モード）、ＬＥＤ制御部５３は、接写モード時の発光よりも高い輝度で発光するようにＬＥＤ４を制御する（ステップＳ２２）。また、接写モードであると判別した場合（ステップＳ２１；接写モード）、ＬＥＤ制御部５３は、通常モード時の発光よりも低い輝度で発光するようにＬＥＤ４を制御する（ステップＳ２３）。
以上でＬＥＤ制御部５３によるＬＥＤ４の発光制御処理は終了する。【００３４】
図５は、カメラ付携帯電話１の動作モードと、ＬＥＤ４の発光輝度の設定との関係をまとめた表である。この図に示す様に、通常モードの場合は、ＬＥＤ４の発光輝度を高く設定している。これは、通常モードである場合には、被写体までの撮影距離が長いため、被写体及び周囲の人々に撮影行為を認識させるために十分な輝度でＬＥＤ４を発光させる必要があるからである。逆に、接写モードの場合には、ＬＥＤ４の発光輝度を低く設定している。これは、カメラセンサ３に回り込むＬＥＤ４の光を抑制するためである。このことより、良質な撮影画像を取得することが可能である。【００３５】
上述したように、ＬＥＤ４の発光輝度を撮影距離に対応した動作モードに応じて変化させることにより、撮影距離に適した発光を行うことが出来る。例えば、高輝度で発光の際には撮影時に被写体及び、周囲の人々に適切に撮影行為を通知することが可能である。また、低輝度で発光の際には、撮影時にカメラセンサ３にＬＥＤ４の光が回り込み入射するのを防ぐことが可能となる。このことから、ＬＥＤ４の輝度を変化することにより、周囲への視認性と良質な画像の取得が可能となる。【００３６】
なお、実施形態１において、操作者が動作モードを切り替える手段はスイッチに限られない。例えば、携帯電話のキー操作によって切り替えるなど、いかなる切替手段をとってもよい。また、切替設定可能な動作モードは２つに限定されない。例えば、多数の切替設定可能な動作モードを設定可能とし、それに応じた発光輝度を複数設定可能な構成としてもよい。【００３７】
＜実施形態２＞
次に、本発明の第２の実施形態を、図６乃至図９を参照して説明する。図６は、２つの発光手段を備えたカメラ付携帯電話１１の外観構成を示す概略図である。図７は、当該カメラ付携帯電話１１の構成を示すブロック図である。図８は、上記発光手段である２つのＬＥＤの発光制御の詳細を示すフローチャートである。図９は、切替設定された動作モードと発光手段と発光輝度との関係をまとめた表である。なお、当該実施形態２において、上述した実施形態１と同じ構成部には、同じ参照符号を付すこととする。【００３８】
［構成］
図６は、発光手段を２つ搭載したカメラ付携帯電話１１である。このカメラ付携帯電話１１は、撮影時に撮影距離の選択及び切替を行うスイッチ２と、周囲の画像を取得するカメラセンサ３と発光手段である２つのＬＥＤ９、１０とシャッターボタン６とを備えている。スイッチ２（動作モード設定手段）は、実施形態１と同様、撮影距離に応じた撮影動作モードの切替を行うためのスイッチである。例えば、操作者は、スイッチ２を操作することによって動作モードを設定（選択）することが出来る。【００３９】
カメラセンサ３は、上述した実施形態１と同様、カメラセンサ３（カメラ部）から被写体までの撮影距離に応じた通常モードと接写モードの２つの動作モードを有する。この２つの動作モードは、上述したスイッチ２にて切替設定が可能である。なお、通常モードは、通常の撮影距離で撮影する場合に最適な動作モードである。接写モードは、通常モードでの撮影よりも撮影距離が短い撮影（接写）をする場合に最適な動作モードである。また、カメラセンサ３は、設定された動作モードに応じた動作で周囲の画像を取得（撮影）する。カメラセンサ３は、たとえば、ＣＣＤやＣＭＯＳなどのイメージセンサを備える。【００４０】
ＬＥＤ９、１０は、撮影動作に伴いほぼ同時に発光し、被写体や周囲の人々に撮影行為を通知する機能を有する。ＬＥＤ９は、カメラセンサ３の近辺に隣接して配設しており、通常モードでの撮影の際に発光する。一方、ＬＥＤ１０は、ＬＥＤ９よりカメラセンサからの距離が遠い位置に配設しており、接写モードでの撮影の際に発光する。【００４１】
シャッターボタン６は、撮影時に押下されるボタンである。シャッターボタン６が押下されることで、カメラセンサ３による撮影が実行される。【００４２】
カメラ付携帯電話１１の全体構成を、図７を参照して説明する。カメラ付携帯電話１１は、上述した実施形態１同様に、内部にカメラ付携帯電話１１の全体の動作を制御する制御部５を備える。また、制御部５は、カメラ付携帯電話１１による通信動作を始め、上述したカメラセンサ３による撮影動作も制御する。また、制御部５は、動作モード検出部５１と、カメラ制御部５２と、ＬＥＤ制御部５３と、を備える。【００４３】
動作モード検出部５１は、上述した実施形態１と同様に、スイッチ２と接続され、切替られた動作モードを検出する。【００４４】
カメラ制御部５２は、上述した実施形態１と同様に、カメラセンサ３、および、シャッターボタン６と接続され、カメラセンサ３の動作を制御する。【００４５】
また、カメラ制御部５２は、撮影動作の際に、ＬＥＤ９、又は、ＬＥＤ１０の点灯要求をＬＥＤ制御部５３に送信する。
ＬＥＤ制御部５３は、ＬＥＤ９、１０と接続され、２つのＬＥＤ９、１０の発光を制御する。具体的には、ＬＥＤ制御部５３は、カメラ制御部５２からの点灯要求を受けて、２つのＬＥＤ９、１０のどちらかを選択する。そして、ＬＥＤ制御部５３は、撮影動作と同時又は前後に、動作モード検出部５１によって検出された動作モードに対応した輝度で選択したＬＥＤ９又はＬＥＤ１０が発光するように、ＬＥＤ９、１０を制御する。例えば、ＬＥＤ制御部５３は、接写モードの時には、カメラセンサ３からより離れた位置に配設されているＬＥＤ１０が発光するように、ＬＥＤ１０を制御する。当該実施形態２が上記実施形態１と異なる点は、このＬＥＤ制御部５３が行う発光制御の処理である。【００４６】
［動作］
次に、上記カメラ付携帯電話１１の撮影動作を説明する。本実施形態は、上記実施形態１とほぼ同様の撮影動作をとる為、図３を参照して説明する。まず、操作者がスイッチ２を操作し、動作モードを切替える。この切替の操作に応答して、動作モード検出部５１は、切替えた動作モードを検出する（ステップＳ１）。続いて、動作モード検出部５１は、検出した動作モードが、通常モードであるか、もしくは接写モードであるかを判別する（ステップＳ２）。
動作モードが接写モードであると判別した場合（ステップＳ２；接写モード）、カメラ制御部５２は、カメラセンサ３の焦点（焦点位置）が近距離撮影（接写）に適した焦点（焦点位置）になるように、カメラセンサ３を制御する（ステップＳ３）。【００４７】
動作モードが、通常モードであると判別した場合（ステップＳ２；通常モード）、カメラ制御部５２は、カメラセンサ３の焦点（焦点位置）が通常距離での撮影に適した焦点（焦点位置）になるようにカメラセンサ３を制御する（ステップＳ４）。【００４８】
その後、操作者（撮影者）によるシャッターボタン６の押下を検出すると、カメラ制御部５２は、カメラセンサ３を制御して、ステップＳ３、又は、ステップＳ４で設定したカメラセンサ３の焦点（焦点位置）で撮影を行う（ステップＳ５）。また、このカメラ制御部５２による撮影動作に伴い、ＬＥＤ制御部５３は、ステップＳ２で判別した動作モードに基づいて、ＬＥＤ９又はＬＥＤ１０の一方を発光させる（ステップＳ５）。
以上で、カメラ付携帯電話１１の撮影動作は終了する。【００４９】
次に図８を参照して、ＬＥＤ制御部５３による２つのＬＥＤ９、１０の発光制御の詳細を説明する。具体的には、上述した図３におけるステップＳ５の処理時のおけるＬＥＤ制御部５３の動作を説明する。【００５０】
ＬＥＤ制御部５３は、撮影動作時に、ＬＥＤ９、１０の何れかを発光させる為の点灯要求をカメラ制御部５２から受ける。この点灯要求に応答して、ＬＥＤ制御部５３は、ＬＥＤ９、１０の発光制御を行う。
まず、ＬＥＤ制御部５３は、動作モード検出部５１が検出（判別）した動作モードが通常モードであるか接写モードであるのかを判別する（ステップＳ３１）。
通常モードであると判別した場合（ステップＳ３１；通常モード）、ＬＥＤ制御部５３は、カメラセンサ３に近い（隣接する）ＬＥＤ９を発光させる（ステップＳ３２）。従って、カメラセンサ３に近い（隣接する）発光手段（ＬＥＤ９）が発光することとなり、被写体及び、周囲の人々は撮影動作を視認しやすくなる。
また、接写モードであると判別した場合には（ステップＳ３１；接写モード）、ＬＥＤ制御部５３は、カメラセンサ３から遠いＬＥＤ１０を発光させる。（ステップＳ３３）。従って、カメラセンサ３から離れた発光手段（ＬＥＤ１０）が発光することとなり、カメラセンサ３に光が回り込んで入射してしまうことを防ぐことが可能である。
以上で、ＬＥＤ制御部５３によるＬＥＤ９、１０の発光制御処理は終了する。【００５１】
このように、本実施形態におけるＬＥＤ制御部５３は、スイッチ２によって選択された動作モードに応じて、ＬＥＤ９、１０を切り替えて発光する。これにより、ＬＥＤの発光輝度を変更設定せずとも、被写体及び、周囲の人々に適切に撮影行為を通知すると共に、良質な撮影画像を取得できる。【００５２】
ここで、ＬＥＤ制御部５３による発光制御は、上述した発光制御に限定されない。例えば、ＬＥＤ制御部５３は、上述したように２つのＬＥＤ９、１０の発光の切替と同時に、動作モードに応じた輝度で発光するように、ＬＥＤ９、１０を制御してもよい。ＬＥＤ９、１０の発光輝度の制御は、上述した実施形態１と同様の制御である。【００５３】
図９に、このようにして制御された場合における、発光手段であるＬＥＤ９、１０と、その発光輝度との関係を表す。図９において、切替設定可能な動作モードは、通常モードと接写モードである。操作者が通常モードを選択した場合、ＬＥＤ制御部５３は、カメラセンサ３に隣接しているＬＥＤ９を選択する。そして、ＬＥＤ制御部５３は、選択したＬＥＤ９が、撮影時に接写モードでの撮影よりも高輝度で発光するように制御する。従って、カメラセンサ３の近辺のＬＥＤ９が、高輝度で発光することとなり、さらに周囲への視認性を向上することが出来る。【００５４】
また、操作者が接写モードを選択した場合、ＬＥＤ制御部５３は、カメラセンサ３から距離のあるＬＥＤ１０を選択する。そして、ＬＥＤ制御部５３は、選択したＬＥＤ１０が、撮影時に通常モードでの撮影よりも低輝度で発光するように制御する。従って、カメラセンサ３から離れた位置のＬＥＤ１０が、低輝度で発光することとなり、カメラセンサ３への光の回り込みを、さらに防ぐことが出来る。【００５５】
上記設定（発光制御）は、上述した制御部５に予め設定しておくことで実現可能である。ただし、発光手段（ＬＥＤ９、１０）の切替とその発光輝度との関係は、図９に限定するものではない。
例えば、カメラセンサ３の近辺に配設しているＬＥＤ９をより低い輝度で発光するように設定（制御）してもよい。これにより、カメラセンサ３の近辺に配設していることで、撮影行為の視認性を確保するとともに、発光輝度を下げることでカメラセンサ３への光の回り込みを防ぐことが出来る。
また、逆にカメラセンサ３から離れた位置に配設したＬＥＤ１０をより高い輝度で発光するように設定（制御）してもよい。これにより、ＬＥＤ１０はカメラセンサ３から距離があるため、カメラセンサ３への光の回り込みが防止される。さらにＬＥＤ１０は高輝度で発光することにより、撮影行為の視認性を確保することが可能となる。【００５６】
なお、上述した様に実施形態２においても、操作者が動作モードを切り替える手段はスイッチに限らない。例えば、携帯電話のキー操作によって切り替えてもよい。また、切替設定可能な動作モードは２つのモードに限らない。また、発光手段（ＬＥＤ）も、２つ以上備えてもよい。例えば、切替設定可能な撮影距離に対応したＮ個の動作モードを設定し、設定した各動作モードに対応した、それぞれカメラセンサ３からの距離が異なる位置に配設された発光手段（ＬＥＤ）をＮ個配設し、スイッチによって切替えられた動作モードに対応する撮影距離が長いほど、よりカメラセンサ３に近いＬＥＤが撮影時に発光させるように制御（発光制御）してもよい。【００５７】
本出願は、２００７年１１月２２日に出願された日本国特許出願特願２００７−３０２５２９号に基づく。本明細書中に、それらの明細書、特許請求の範囲、図面全体を参照として取り込むものとする。
【産業上の利用可能性】
【００５８】
本発明は、撮影機器が搭載された携帯電話に限られず、ＰＤＡや、電子手帳や、ポータブルゲーム機など、いかなる情報処理端末にも利用することが可能である。また、本発明は、撮影機器が搭載された情報処理端末に限られず、撮影機器単体でも利用することが可能であり、産業上の利用可能性を有する。
【図１】
0005381714.tif 000002
【図２】
0005381714.tif 000003
【図３】
0005381714.tif 000004
【図４】
0005381714.tif 000005
【図５】
0005381714.tif 000006
【図６】
0005381714.tif 000007
【図７】
0005381714.tif 000008
【図８】
0005381714.tif 000009
【図９】
0005381714.tif 000010